(57)【要約】【課題】ＦＦＣを接続可能なコネクタに電源供給用端子とグランド端子とのショートを検出するための専用端子を設けることなく、ＦＦＣの不良接続があった場合のレギュレータの破壊を抑制できる電源回路を提供する。【解決手段】レギュレータと、制御信号のレベルに応じて前記レギュレータへ電源供給するか否かを切替える電源供給部と、ＦＦＣ（フレキシブルフラットケーブル）を接続可能なコネクタと、を備えた電源回路であって、前記レギュレータの出力側と前記制御信号の信号ラインとの接続状態・遮断状態を切替える切替え部を備え、前記コネクタは、前記レギュレータの出力側に接続される電源供給用端子と、グランド端子とを有し、前記電源供給用端子が前記グランド端子とショートした場合、前記切替え部は前記レギュレータの出力側と前記信号ラインとを接続状態に切替える構成とした。【選択図】図３
2012221454.tif 000002
【特許請求の範囲】
【請求項１】
レギュレータと、制御信号のレベルに応じて前記レギュレータへ電源供給するか否かを切替える電源供給部と、ＦＦＣ（フレキシブルフラットケーブル）を接続可能なコネクタと、を備えた電源回路であって、
前記レギュレータの出力側と前記制御信号の信号ラインとの接続状態・遮断状態を切替える切替え部を備え、
前記コネクタは、前記レギュレータの出力側に接続される電源供給用端子と、グランド端子とを有し、
前記電源供給用端子が前記グランド端子とショートした場合、前記切替え部は前記レギュレータの出力側と前記信号ラインとを接続状態に切替えることを特徴とする電源回路。
【請求項２】
前記電源供給用端子から供給される電源は、光ディスク装置の部品用電源であることを特徴とする請求項１に記載の電源回路。
【請求項３】
前記電源供給部は、前記制御信号がＨｉｇｈレベルの場合、前記レギュレータへ電源供給し、前記制御信号がＬｏｗレベルの場合、電源供給を行わず、
前記切替え部は、カソードが前記レギュレータの出力側に接続され、アノードが前記信号ラインに接続されるダイオードであることを特徴とする請求項１または請求項２に記載の電源回路。
【請求項４】
前記アノードから出力される検知信号がマイコンに入力され、
前記マイコンは、前記検知信号が所定電圧以下であることを検知した場合、Ｌｏｗレベルの前記制御信号を出力すると共に当該電源回路以外の少なくとも一つの電源回路の電源供給動作を停止すべく前記少なくとも一つの電源回路に制御信号を出力することを特徴とする請求項３に記載の電源回路。
【請求項５】
請求項１〜請求項４のいずれかに記載の電源回路を備えることを特徴とする光ディスク装置。
【発明の詳細な説明】
【技術分野】
【０００１】
本発明は、ＦＦＣ（フレキシブルフラットケーブル）を接続可能なコネクタを有した電源回路に関する。
【背景技術】
【０００２】
従来、光ディスク装置が有するメイン基板やパーソナルコンピュータが有するマザーボード等の電子機器の基板に電源回路が設けられ、その電源回路からＦＦＣ（フレキシブルフラットケーブル）を介して外部に電源を供給していた。
【０００３】
しかしながら、基板に設けられたコネクタに対してＦＦＣが有するコネクタが斜め差しされて、基板に設けられたコネクタが有する電源供給用端子が隣接するグランド端子とショートした場合、電源回路に設けられた部品が破壊される場合があった。
【０００４】
そこで、例えば特許文献１には、次のような電源回路が開示されている。この電源回路は、ＤＣ／ＤＣコンバータと、ＦＦＣが接続されるコネクタを有しており、ＤＣ／ＤＣコンバータの出力電圧を供給するための電源供給用端子が上記コネクタに設けられる。さらに、電源供給用端子とは別に検出用接続端子を上記コネクタに設けるようにし、ＦＦＣが上記コネクタに斜め差しされた場合、検出用接続端子がグランド端子とショートすることにより検出用接続端子に接続されたシャットダウンピンにＬｏｗ信号が入力され、ＤＣ／ＤＣコンバータの動作を停止するようにしている。これにより、ＦＦＣがコネクタに斜め差しされたことによるＤＣ／ＤＣコンバータの破壊を抑制することができる。
【先行技術文献】
【特許文献】
【０００５】
【特許文献１】特開２００８−１１２６４２号公報（第５図等）
【発明の概要】
【発明が解決しようとする課題】
【０００６】
しかしながら、上記特許文献１の電源回路では、電源供給用端子とは別に検出用接続端子という特別な端子をコネクタに設ける必要があるという問題点があった。
【０００７】
上記問題点を鑑み、本発明は、ＦＦＣを接続可能なコネクタに電源供給用端子とグランド端子とのショートを検出するための専用端子を設けることなく、ＦＦＣの不良接続があった場合のレギュレータの破壊を抑制できる電源回路及びこれを備えた光ディスク装置を提供することを目的とする。
【課題を解決するための手段】
【０００８】
上記目的を達成するために本発明は、レギュレータと、制御信号のレベルに応じて前記レギュレータへ電源供給するか否かを切替える電源供給部と、ＦＦＣ（フレキシブルフラットケーブル）を接続可能なコネクタと、を備えた電源回路であって、
前記レギュレータの出力側と前記制御信号の信号ラインとの接続状態・遮断状態を切替える切替え部を備え、
前記コネクタは、前記レギュレータの出力側に接続される電源供給用端子と、グランド端子とを有し、
前記電源供給用端子が前記グランド端子とショートした場合、前記切替え部は前記レギュレータの出力側と前記信号ラインとを接続状態に切替える構成とする。
【０００９】
このような構成によれば、例えばコネクタに対してＦＦＣを斜め差しして電源供給用端子がグランド端子とショートした場合でも、切替え部がレギュレータの出力側と制御信号の信号ラインとを接続状態に切替えるので、制御信号によって電源供給部がレギュレータへの電源供給を行わない。従って、ＦＦＣを接続可能なコネクタに電源供給用端子とグランド端子とのショートを検出するための専用端子を設けることなく、ＦＦＣの不良接続があった場合のレギュレータの破壊を抑制できる。
【００１０】
また、上記構成において、前記電源供給用端子から供給される電源は、光ディスク装置の部品用電源であってもよい。
【００１１】
また、上記いずれかの構成において、前記電源供給部は、前記制御信号がＨｉｇｈレベルの場合、前記レギュレータへ電源供給し、前記制御信号がＬｏｗレベルの場合、電源供給を行わず、
前記切替え部は、カソードが前記レギュレータの出力側に接続され、アノードが前記信号ラインに接続されるダイオードである構成としてもよい。
【００１２】
このような構成によれば、制御信号がＨｉｇｈレベルのときに電源供給用端子がグランド端子とショートした場合、ダイオードがオンとなり、制御信号はＬｏｗレベルとなるので、電源供給部はレギュレータへの電源供給を停止する。従って、瞬時にレギュレータの動作を停止でき、レギュレータの破壊をより抑制できる。
【００１３】
また、上記構成において、前記アノードから出力される検知信号がマイコンに入力され、
前記マイコンは、前記検知信号が所定電圧以下であることを検知した場合、Ｌｏｗレベルの前記制御信号を出力すると共に当該電源回路以外の少なくとも一つの電源回路の電源供給動作を停止すべく前記少なくとも一つの電源回路に制御信号を出力する構成としてもよい。
【００１４】
このような構成によれば、制御信号がＨｉｇｈレベルのときに電源供給用端子がグランド端子とショートした場合、ダイオードがオンとなり、検知信号が所定電圧以下となる。そして、マイコンは、Ｌｏｗレベルの制御信号を出力すると共に当該電源回路以外の少なくとも一つの電源回路の電源供給動作を停止すべく前記少なくとも一つの電源回路に制御信号を出力する。これにより、当該電源回路の電源供給動作が停止されると共に、当該電源回路以外の少なくとも一つの電源回路の電源供給動作が停止される。従って、例えばＦＦＣを接続する作業者が作業不良に気付くことができる。
【００１５】
また、本発明の光ディスク装置は、上記いずれかの構成の電源回路を備えた構成とする。
【発明の効果】
【００１６】
本発明によると、ＦＦＣを接続可能なコネクタに電源供給用端子とグランド端子とのショートを検出するための専用端子を設けることなく、ＦＦＣの不良接続があった場合のレギュレータの破壊を抑制できる。
【図面の簡単な説明】
【００１７】
【図１】本発明の一実施形態に係るブルーレイディスク装置のシャーシ内部の構成を示す概略斜視図である。
【図２】本発明の一実施形態に係るメイン基板における概略構成を示す図である。
【図３】本発明の一実施形態に係る電源回路の回路構成を示す図である。
【発明を実施するための形態】
【００１８】
以下に本発明の一実施形態を図面を参照して説明する。ここでは、光ディスク装置、特にブルーレイディスク装置を一例として説明する。
【００１９】
本発明の一実施形態に係るブルーレイディスク装置のシャーシ内部の構成を示す概略斜視図を図１に示す。図１に示すように、本発明の一実施形態に係るブルーレイディスク装置は、シャーシ内部にローダー１と、電源基板２と、メイン基板３とを備えている。ローダー１を挟むように電源基板２とメイン基板３が配される。
【００２０】
ローダー１は、ブルーレイディスクを内部にマウントし、マウントしたブルーレイディスクに対するデータの読み書きを行う装置であり、ブルーレイディスクを外部から内部に引き込むためのトレイ、トレイを駆動するトレイ用モータ、ブルーレイディスクが固定されるターンテーブル、ターンテーブルを回転駆動するスピンドルモータ、ブルーレイディスクにレーザを照射してデータの読み書きを行う光ピックアップ、光ピックアップをブルーレイディスクの半径方向に駆動するスレッドモータ（いずれも不図示）を有している。
【００２１】
また、光ピックアップは、ブルーレイディスクに対応する４０５ｎｍ帯のレーザを出射できるレーザダイオード、ブルーレイディスクの記録面にレーザを集光する対物レンズ、対物レンズをトラック方向及びフォーカス方向に駆動するアクチュエータ、ブルーレイディスクで反射されたレーザを受光して光電変換を行うフォトディテクタ、その他の光学系部品を有している。
【００２２】
電源基板２には、電源プラグ（不図示）から入力される交流電圧１００Ｖを直流電圧１１Ｖに変換するＡＣ／ＤＣ電源回路（不図示）が設けられている。このＡＣ／ＤＣ電源回路は、トランスや整流回路を有する。変換後の直流電圧１１Ｖは、ローダー１の下部を通されたハーネス（不図示）を介してメイン基板３に送られる。
【００２３】
メイン基板３には、図２に示すように、マイコン５０と、電源回路１００と、電源回路１００とは別の複数の電源回路２００が設けられている。電源回路１００は、電源基板２から送られた直流電圧１１Ｖをスピンドルモータ用の電源電圧１０Ｖ及びレーザダイオード用の電源電圧８Ｖに変換する回路であり、詳細な構成は後述する。その他の電源回路２００は、電源基板２から送られた直流電圧１１Ｖを電源電圧５Ｖ、３．３Ｖ、１．５Ｖ、１．１Ｖ等に変換する。マイコン５０は、電源回路１００、電源回路２００を含む装置の各部を制御する。
【００２４】
また、メイン基板３には、ＦＦＣ５の一端が接続されるコネクタ４が設けられている。ＦＦＣ５は、その一端がローダー１の下部に設けられた制御基板（不図示）に接続されている。ＦＦＣ５により各種電源や各種制御信号をローダー１へ送ることができる。
【００２５】
電源回路１００の詳細な構成を図３に示す。図３に示す電源回路１００は、ＭＯＳＦＥＴ１０と、レギュレータ２０と、トランジスタＴｒと、ダイオードＤｉ１、Ｄｉ２と、抵抗Ｒ１〜Ｒ９と、コンデンサＣ１、Ｃ２と、コネクタ４とを備えている。
【００２６】
ＭＯＳＦＥＴ１０は、ＰチャンネルＭＯＳＦＥＴ（Metal-Oxide-Semiconductor Field-Effect Transistor）をパッケージ化したものであり、ソース端子Ｓ、ゲート端子Ｇ、ドレイン端子Ｄ１〜Ｄ４を有し、ボルテージフォロアとして機能する。
【００２７】
電源基板２から送られる直流１１Ｖの入力電圧Ｖｉｎが抵抗Ｒ１の一端に印加され、他端にソース端子Ｓが接続される。ゲート端子Ｇには抵抗Ｒ３の一端が接続され、抵抗Ｒ１とソース端子Ｓとの接続点と、ゲート端子Ｇと抵抗Ｒ３との接続点とが抵抗Ｒ２により接続される。
【００２８】
トランジスタＴｒは、ＮＰＮ型のバイポーラトランジスタである。トランジスタＴｒのコレクタに抵抗Ｒ３の一端が接続され、トランジスタＴｒのエミッタが接地される。また、トランジスタＴｒのベースにマイコン５０（図２）からの制御信号Ｓ１がラインＬ１（信号ライン）を介して入力される。
【００２９】
ＭＯＳＦＥＴ１０のドレイン端子Ｄ１〜Ｄ４は、共通接続されて抵抗Ｒ４の一端に接続される。抵抗Ｒ４と抵抗Ｒ５とは直列接続され、それらの接続点からスピンドルモータ用の電源電圧Ｖｏ１が取出される。
【００３０】
レギュレータ２０は、３端子レギュレータであり、入力端子、出力端子、電圧設定用端子を有している。抵抗Ｒ５の一端、レギュレータ２０破壊防止用のダイオードＤｉ１のカソード、発振防止用のコンデンサＣ１の一端が共通接続されてレギュレータ２０の入力端子に接続される。
【００３１】
レギュレータ２０の出力端子、ダイオードＤｉ１のアノード、抵抗Ｒ６の一端、発振防止用のコンデンサＣ２の一端、抵抗Ｒ８の一端が共通接続されて抵抗Ｒ９の一端に接続される。抵抗Ｒ６と抵抗Ｒ７は直列接続され、それらの接続点にレギュレータ２０の電圧設定用端子が接続される。コンデンサＣ１の一端、抵抗Ｒ７の一端、コンデンサＣ２の一端が共通接続されて接地される。
【００３２】
抵抗Ｒ８の一端にはダイオードＤｉ２のカソードが接続される。ラインＬ２の一端と、マイコン５０（図２）への検知信号Ｓ２出力用のラインＬ３の一端が共通接続されてダイオードＤｉ２のアノードに接続される。ラインＬ２の他端はラインＬ１に接続される。
【００３３】
抵抗Ｒ９の一端は、コネクタ４に設けられる電源供給用端子Ｔ１に接続され、レーザダイオード（光ディスク装置の部品）用の電源電圧Ｖｏ２が電源供給用端子Ｔ１から出力される。また、電源供給用端子Ｔ１と隣接してコネクタ４に設けられるグランド端子Ｔ２が接地される。
【００３４】
マイコン５０からＨｉｇｈレベルの制御信号Ｓ１がトランジスタＴｒのベースに入力されると、トランジスタＴｒがオンとなり、ゲート端子Ｇに印加されるゲート電圧がＬｏｗレベルとなるので、ＭＯＳＦＥＴ１０はオンとなり、ドレイン端子Ｄ１〜Ｄ４から直流電圧１０．５Ｖが出力される。そして、抵抗Ｒ４と抵抗Ｒ５の接続点からは直流電圧１０Ｖの電源電圧Ｖｏ１が取出される。
【００３５】
また、レギュレータ２０は、入力端子に印加される約１０Ｖの入力電圧を約８Ｖの出力電圧に変換して出力端子から出力する。そして、直流電圧８Ｖである電源電圧Ｖｏ２が電源供給用端子Ｔ１から出力される。ＦＦＣ５（図１）がコネクタ４に正常に接続されて電源供給用端子Ｔ１がグランド端子Ｔ２とショートしていない正常状態であれば、ダイオードＤｉ２はオフとなる。
【００３６】
ＦＦＣ５がコネクタ４に対して斜め差しされて電源供給用端子Ｔ１がグランド端子Ｔ２とショートした異常状態で、制御信号Ｓ１がＨｉｇｈレベルである場合、電源電圧Ｖｏ２の電圧が低くなるのでダイオードＤｉ２がオンとなる。すると、制御信号Ｓ１がＬｏｗレベルとなるので、トランジスタＴｒがオフとされ、ＭＯＳＦＥＴ１０がオフとされる。これにより、ドレイン端子Ｄ１〜Ｄ４からの電圧出力が停止され、電源電圧Ｖｏ１の出力が停止されると共にレギュレータ２０が動作を停止する。従って、レギュレータ２０の動作を瞬時に停止させてレギュレータ２０の破壊を抑制することができる。
【００３７】
また、マイコン５０は、数百ｍｓｅｃごとに検知信号Ｓ２を監視しており、検知信号Ｓ２が２Ｖ（所定電圧）以下となったことを検知すると、制御信号Ｓ１及び全ての電源回路２００用の制御信号Ｓ３（図２）をＬｏｗレベルとし、電源回路１００及び全ての電源回路２００の電源供給動作を停止させる。なお、電源回路２００においても、電源回路１００と同様に例えばトランジスタとＭＯＳＦＥＴを用いて制御信号Ｓ３に応じて電源供給するか否かを切替える構成とすればよい。
【００３８】
上述のようにダイオードＤｉ２がオンになると、検知信号Ｓ２が２Ｖ以下となるので、マイコン５０がこれを検知し、電源回路１００及び全ての電源回路２００の電源供給動作を停止させる。
【００３９】
ここで、本発明の一実施形態に係るブルーレイディスク装置の組立工程における電源回路１００の動作について説明する。
【００４０】
組立工程において作業者がＦＦＣ５をコネクタ４に接続した後、電源プラグ（不図示）をタップに差すと、電源基板２からメイン基板３へ直流電圧１１Ｖが供給され、マイコン５０が起動する。マイコン５０は起動すると、Ｈｉｇｈレベルの制御信号Ｓ１をトランジスタＴｒのベースに出力する。ＦＦＣ５がコネクタ４に正常に接続されていれば、電源電圧Ｖｏ１及び電源電圧Ｖｏ２は正常に出力される。
【００４１】
しかしながら、ＦＦＣ５がコネクタ４に対して斜め差しされて電源供給端子Ｔ１がグランド端子Ｔ２とショートしている場合は、ダイオードＤｉ２がオンとなるので、制御信号Ｓ１がＬｏｗレベルとなり、レギュレータ２０の動作が停止され、電源電圧Ｖｏ１及び電源電圧Ｖｏ２の出力が停止される。また、ダイオードＤｉ２がオンとなるので、検知信号Ｓ２が２Ｖ以下となり、マイコン５０がこれを検知して電源回路１００及び全ての電源回路２００の電源供給動作を停止させる。これにより、レーザダイオード、スピンドルモータを始め装置の各部が動作不可能となるので、作業者は作業不良に気付くことができる。
【００４２】
作業不良に気付いた作業者は、ＦＦＣ５をコネクタ４に正常に接続し直し、電源プラグをタップに差す。すると、レギュレータ２０は破壊されていないので、電源電圧Ｖｏ１と共に電源電圧Ｖｏ２が正常に出力される。
【００４３】
このように本発明によれば、コネクタ４に電源供給用端子とグランド端子とのショートを検出するための専用端子を設けることなく、ＦＦＣ５のコネクタ４に対する斜め差しがあった場合でも、瞬時にレギュレータ２０の動作を停止でき、レギュレータ２０の破壊を抑制できる。
【００４４】
以上、本発明の一実施形態について説明したが、本発明の趣旨の範囲内であれば、実施形態は種々変更が可能である。
【００４５】
例えば、上記実施形態ではブルーレイディスク装置を例として説明したが、当然にＤＶＤ装置等の他の光ディスク装置にも本発明は適用できるし、パーソナルコンピュータが備えるマザーボードに設けられる電源回路に本発明を適用することも可能である。
【符号の説明】
【００４６】
１  ローダー
２  電源基板
３  メイン基板
４  コネクタ
５  ＦＦＣ
１０  ＭＯＳＦＥＴ（電源供給部）
２０  レギュレータ
５０  マイコン
１００  電源回路
２００  電源回路
Ｔｒ  トランジスタ
Ｓ  ソース端子
Ｇ  ゲート端子
Ｄ１〜Ｄ４  ドレイン端子
Ｄｉ１  ダイオード
Ｄｉ２  ダイオード（切替え部）
Ｒ１〜Ｒ９  抵抗
Ｃ１、Ｃ２  コンデンサ
Ｌ１〜Ｌ３  ライン
Ｔ１  電源供給用端子
Ｔ２  グランド端子
Ｖｉｎ  入力電圧
Ｖｏ１、Ｖｏ２  電源電圧
Ｓ１、Ｓ３  制御信号
Ｓ２  検知信号
【図１】
2012221454.tif 000003
【図２】
2012221454.tif 000004
【図３】
2012221454.tif 000005